(57)【要約】【課題】効率良く施工できる開閉装置の施工方法を提供する。【解決手段】開閉体を巻き取った長手状の開閉装置本体に開閉装置用の取付補助具20を着脱可能に取り付け、この取付補助具20のシート体21にて開閉体の外周面の略全体を覆う。次いで、シート体21に開閉装置本体を水平状態に保持させながら、取付補助具20を用いて開閉装置本体をこの開閉装置本体の長手方向略中央部との対向位置から水平状態のまま持ち上げて被取付部に取り付ける。その後、開閉装置本体から取付補助具20を取り外す。【選択図】        図１
2004204435.tif 000002
【特許請求の範囲】
【請求項１】
開閉体が巻戻し可能に巻き取られた長手状の開閉装置本体に開閉装置用の取付補助具を着脱可能に取り付ける工程と、
前記取付補助具を用いて前記開閉装置本体をこの開閉装置本体の長手方向略中央部との対向位置から持ち上げて被取付部に取り付ける工程と、
前記被取付部に取り付けられた前記開閉装置本体から前記取付補助具を取り外す工程と
を備えたことを特徴とする開閉装置の施工方法。
【請求項２】
開閉体が巻戻し可能に巻き取られた長手状の開閉装置本体に開閉装置用の取付補助具を着脱可能に取り付け、この取付補助具のシート体にて前記開閉体の外周面の略全体を覆う工程と、
前記シート体に前記開閉装置本体を保持させながら、前記取付補助具を用いて前記開閉装置本体をこの開閉装置本体の長手方向略中央部との対向位置から持ち上げて被取付部に取り付ける工程と、
前記被取付部に取り付けられた前記開閉装置本体から前記取付補助具を取り外す工程と
を備えたことを特徴とする開閉装置の施工方法。
【請求項３】
開閉体が巻戻し可能に巻き取られた長手状の開閉装置本体の被取付部への取付けの際に用いられる開閉装置用の取付補助具であって、
前記開閉体に着脱可能に巻き付けられ、前記開閉装置本体の長手方向略中央部との対向位置から前記開閉装置本体を持ち上げることを可能にするシート体を備えた
ことを特徴とする取付補助具。
【請求項４】
シート体は、開閉体の外周面の略全体を覆うように巻き付けられる
ことを特徴とする請求項３記載の取付補助具。
【請求項５】
開閉体が巻戻し可能に巻き取られた長手状の開閉装置本体の被取付部への取付けの際に用いられる開閉装置用の取付補助具であって、
前記開閉体にこの開閉体の外周面の略全体を覆うように着脱可能に巻き付けられ、前記開閉装置本体の長手方向略中央部との対向位置から前記開閉装置本体を持ち上げることを可能にするシート体と、
このシート体のシート巻き方向一端側に設けられた一方の係合部および前記シート体のシート巻き方向他端側に設けられ前記一方の係合部と係脱可能に係合する他方の係合部とを有し、前記両係合部の係合により前記シート体を前記開閉体の外周面の略全体を覆った状態に維持する係合手段と、
前記シート体のシート巻き方向一端側にこの一端側に沿って設けられ、前記開閉装置本体の持上げ時に把持される把持杆体と
を備えたことを特徴とする取付補助具。
【請求項６】
開閉体が巻戻し可能に巻き取られた長手状の開閉装置本体の被取付部への取付けの際に用いられる開閉装置用の取付補助具であって、
前記開閉装置本体の長手方向両端部に着脱可能に連結され、前記開閉装置本体の長手方向略中央部との対向位置から前記開閉装置本体を持ち上げることを可能にする剛性部材を備えた
ことを特徴とする取付補助具。
【請求項７】
開閉体が巻戻し可能に巻き取られた長手状の開閉装置本体の被取付部への取付けの際に用いられる開閉装置用の取付補助具であって、
前記開閉装置本体の長手方向両端部に着脱可能に連結され、前記開閉装置本体の長手方向略中央部との対向位置から前記開閉装置本体を持ち上げることを可能にする可撓性部材を備えた
ことを特徴とする取付補助具。
【発明の詳細な説明】
【０００１】
【発明の属する技術分野】
本発明は、開閉装置を効率良く施工できる開閉装置の施工方法および取付補助具に関する。
【０００２】
【従来の技術】
従来の開閉装置の施工方法としては、例えば、シャッタカーテンである開閉体が巻戻し可能に巻き取られた長手状の開閉装置本体の一端部をシャッタ受け用台車に載せた状態で開閉装置本体を傾斜させつつ開閉装置本体の他端部を持ち上げて仮止めし、次いで開閉装置本体の一端部をシャッタ受け用台車から持ち上げて本固定し、次いで開閉装置本体の他端部を本固定する窓シャッタ装置の施工方法が知られている（例えば、特許文献１参照。）。
【０００３】
【特許文献１】
実公平７−１１２４６号公報（第２頁、図１）
【０００４】
【発明が解決しようとする課題】
しかしながら、上記従来の開閉装置の施工方法では、確かに開閉装置本体の取付けを作業者１人ですることができるものの、開閉装置本体の取付けの際に、開閉装置本体が一旦傾斜状態になるため、巻き取られた開閉体に横ずれが生じ、開閉装置を効率良く施工できないおそれがある。
【０００５】
本発明は、このような点に鑑みなされたもので、開閉装置を効率良く施工できる開閉装置の施工方法および取付補助具を提供することを目的とする。
【０００６】
【課題を解決するための手段】
請求項１記載の開閉装置の施工方法は、開閉体が巻戻し可能に巻き取られた長手状の開閉装置本体に開閉装置用の取付補助具を着脱可能に取り付ける工程と、前記取付補助具を用いて前記開閉装置本体をこの開閉装置本体の長手方向略中央部との対向位置から持ち上げて被取付部に取り付ける工程と、前記被取付部に取り付けられた前記開閉装置本体から前記取付補助具を取り外す工程とを備えたものである。
【０００７】
そして、開閉装置本体の長手方向略中央部との対向位置から開閉装置本体を水平状態のまま持ち上げることができるため、開閉装置本体の取付けを作業者１人でしても、巻き取られた開閉体の横ずれが防止され、開閉装置が効率良く施工される。
【０００８】
請求項２記載の開閉装置の施工方法は、開閉体が巻戻し可能に巻き取られた長手状の開閉装置本体に開閉装置用の取付補助具を着脱可能に取り付け、この取付補助具のシート体にて前記開閉体の外周面の略全体を覆う工程と、前記シート体に前記開閉装置本体を保持させながら、前記取付補助具を用いて前記開閉装置本体をこの開閉装置本体の長手方向略中央部との対向位置から持ち上げて被取付部に取り付ける工程と、前記被取付部に取り付けられた前記開閉装置本体から前記取付補助具を取り外す工程とを備えたものである。
【０００９】
そして、開閉装置本体の長手方向略中央部との対向位置から開閉装置本体を水平状態のまま持ち上げることができるため、開閉装置本体の取付けを作業者１人でしても、巻き取られた開閉体の横ずれが防止され、開閉装置が効率良く施工され、しかも、取付補助具のシート体にて開閉体の外周面の略全体を覆うことで開閉体の保護が図られる。
【００１０】
請求項３記載の取付補助具は、開閉体が巻戻し可能に巻き取られた長手状の開閉装置本体の被取付部への取付けの際に用いられる開閉装置用の取付補助具であって、前記開閉体に着脱可能に巻き付けられ、前記開閉装置本体の長手方向略中央部との対向位置から前記開閉装置本体を持ち上げることを可能にするシート体を備えたものである。
【００１１】
そして、シート体を利用して開閉装置本体の長手方向略中央部との対向位置から開閉装置本体を水平状態のまま持ち上げることができるため、開閉装置本体の取付けを作業者１人でしても、巻き取られた開閉体の横ずれが防止され、開閉装置が効率良く施工される。
【００１２】
請求項４記載の取付補助具は、請求項３記載の取付補助具において、シート体は、開閉体の外周面の略全体を覆うように巻き付けられるものである。
【００１３】
そして、シート体にて開閉体の外周面の略全体を覆うことで開閉体の保護が図られる。
【００１４】
請求項５記載の取付補助具は、開閉体が巻戻し可能に巻き取られた長手状の開閉装置本体の被取付部への取付けの際に用いられる開閉装置用の取付補助具であって、前記開閉体にこの開閉体の外周面の略全体を覆うように着脱可能に巻き付けられ、前記開閉装置本体の長手方向略中央部との対向位置から前記開閉装置本体を持ち上げることを可能にするシート体と、このシート体のシート巻き方向一端側に設けられた一方の係合部および前記シート体のシート巻き方向他端側に設けられ前記一方の係合部と係脱可能に係合する他方の係合部とを有し、前記両係合部の係合により前記シート体を前記開閉体の外周面の略全体を覆った状態に維持する係合手段と、前記シート体のシート巻き方向一端側にこの一端側に沿って設けられ、前記開閉装置本体の持上げ時に把持される把持杆体とを備えたものである。
【００１５】
そして、把持杆体を把持してシート体を引き上げることにより、開閉装置本体の長手方向略中央部との対向位置から開閉装置本体を水平状態のまま持ち上げることができるため、開閉装置本体の取付けを作業者１人でしても、巻き取られた開閉体の横ずれが防止され、開閉装置が効率良く施工され、しかも、シート体にて開閉体の外周面の略全体を覆うことで開閉体の保護が図られる。
【００１６】
請求項６記載の取付補助具は、開閉体が巻戻し可能に巻き取られた長手状の開閉装置本体の被取付部への取付けの際に用いられる開閉装置用の取付補助具であって、前記開閉装置本体の長手方向両端部に着脱可能に連結され、前記開閉装置本体の長手方向略中央部との対向位置から前記開閉装置本体を持ち上げることを可能にする剛性部材を備えたものである。
【００１７】
そして、剛性部材を利用して開閉装置本体の長手方向略中央部との対向位置から開閉装置本体を水平状態のまま持ち上げることができるため、開閉装置本体の取付けを作業者１人でしても、巻き取られた開閉体の横ずれが防止され、開閉装置が効率良く施工される。
【００１８】
請求項７記載の取付補助具は、開閉体が巻戻し可能に巻き取られた長手状の開閉装置本体の被取付部への取付けの際に用いられる開閉装置用の取付補助具であって、前記開閉装置本体の長手方向両端部に着脱可能に連結され、前記開閉装置本体の長手方向略中央部との対向位置から前記開閉装置本体を持ち上げることを可能にする可撓性部材を備えたものである。
【００１９】
そして、可撓性部材を利用して開閉装置本体の長手方向略中央部との対向位置から開閉装置本体を水平状態のまま持ち上げることができるため、開閉装置本体の取付けを作業者１人でしても、巻き取られた開閉体の横ずれが防止され、開閉装置が効率良く施工される。
【００２０】
【発明の実施の形態】
本発明の取付補助具の第１の実施の形態を図１ないし図４を参照して説明する。
【００２１】
図２ないし図４において、１は窓シャッタ本体等の開閉装置本体で、この開閉装置本体１は、予め工場で１ユニット状に組立てられたもので、左右方向に長手方向を有する長手状に形成されている。なお、この開閉装置本体１の質量は、例えば３０〜４０ｋｇである。
【００２２】
そして、この開閉装置本体１は、例えば所定距離を介して互いに離間対向した左右一対のブラケット等の支持板２と、これら両支持板２にて水平状に支持された左右方向に長手状の巻体３と、この巻体３に巻戻し可能に略円柱状に巻き取られたシャッタカーテン等の開閉体４とを備えている。
【００２３】
各支持板２は、巻体３の長手方向端部が連結された略矩形状の本体板部６を有している。本体板部６の周縁部からは、環状の鍔部７が内方に向って突出している。また、本体板部６の上端部からは、前後方向に長手状の突出板部８が外方に向って突出し、この突出板部８の長手方向略中央部には前後方向のスリット９が開口形成されている。さらに、本体板部６の下端縁部からは、前後方向に長手状の突出板部10が外方に向って突出している。
【００２４】
そして、開閉装置本体１は、図４に示されるように、所定高さ位置まで持ち上げられた後、建物11の本体収容部12に向って押し込まれることにより、建物11の被取付部13に水平状態に固定的に取り付けられる。
【００２５】
この被取付部13は、例えば建物11の躯体14に固着された吊込み部としての左右一対の略板状の支持体15にて構成され、各支持体15の上端部には側面視略三角状の凸部16が形成されている。このため、開閉装置本体１の本体収容部12側への押込みの際には、支持体15の凸部16が開閉装置本体１の支持板２のスリット９内に入り込み、その結果、開閉装置本体１が被取付部13を構成する支持体15に水平状態に固定的に取り付けられ、吊り込まれる。
【００２６】
そして、この開閉体４が巻戻し可能に巻き取られた左右方向に長手状の開閉装置本体１の建物11の被取付部13への取付けの際に用いられる道具が、例えば図１ないし図３に示す開閉装置用の取付補助具20である。
【００２７】
この取付補助具20は、巻体３に巻き取られた略円柱状の開閉体４にこの開閉体４の外周面の略全体を覆うように着脱可能に巻き付けられ、開閉装置本体１の長手方向略中央部との対向位置から開閉装置本体１を水平状態のまま持ち上げることを可能にする可撓性のシート体21を備えている。
【００２８】
このシート体21は、例えば開閉体４の外周面を傷付けない程度の柔軟な布等の可撓性シート材にて一体に形成されたもので、展開状態では略矩形板状をなし、開閉体４にこの開閉体４の外周面の略全体を覆うように巻き付けられた覆い状態では開閉体４の略全体を包み込むように開閉体４の外周面に沿って変形して略円筒状をなすものである。
【００２９】
また、この取付補助具20は、一方の係合部23と他方の係合部24との係合によりシート体21を開閉体４の外周面の略全体を覆った覆い状態（例えば略円筒状）に解除可能に維持する係合手段25を備えている。
【００３０】
そして、この係合手段25が有する一方の係合部23が、シート体21のシート巻き方向（図示イ方向）一端部に固定的に設けられている。この一方の係合部23と係脱可能に係合する他方の係合部24が、シート体21のシート巻き方向他端部に固定的に設けられている。また、開閉装置本体１の持上げ時に把持される断面円形で細長棒状の把持体である把持杆体26が、シート体21のシート巻き方向一端部にこの一端部に沿って固定的に設けられている。なお、この把持杆体26はシート体21に対して着脱可能としてもよい。
【００３１】
ここで、図１に示されるように、シート体21は、長さ寸法が開閉装置本体１の長さ寸法と略同一で展開状態で矩形板状をなすシート本体部31を有している。
【００３２】
このシート本体部31のシート巻き方向（例えば短辺方向）一端縁部におけるシート巻き方向と直交する方向（例えば長辺方向）の略中央部および両端部からは、互いに間隔をおいて袋状の複数（例えば３つ）の一方側突出部32が突出している。
【００３３】
そして、各一方側突出部32内には、係合突片33を有した金属製の係合板部材34が係合突片33のみ露出された状態で収容されている。これら複数の係合板部材34にて一方の係合部23が構成されている。なお、長さ寸法が開閉装置本体１の長さ寸法と略同一の把持杆体26は、一方側突出部32から突出した略筒状の杆体取付部35の内面側に固定的に取り付けられている。
【００３４】
また、このシート本体部31のシート巻き方向他端縁部におけるシート巻き方向と直交する方向の略中央部および両端部からは、互いに間隔をおいて略矩形環状で袋状の複数（例えば４つ）の他方側突出部36が突出している。
【００３５】
そして、各他方側突出部36内には、係合突片33に引っ掛るように係合する係合孔部37を有した金属製の孔付き係合板部材38が収容されている。これら複数の孔付き係合板部材38にて他方の係合部24が構成されている。
【００３６】
次いで、上記取付補助具20を使用して開閉装置の施工を行う場合について説明する。
【００３７】
まず、作業者は、開閉体４が巻戻し可能に略円柱状に巻き取られた長手状の開閉装置本体１に開閉装置用の取付補助具20を着脱可能に取り付け、この取付補助具20のシート体21にて略円柱状の開閉体４の略全体を包み込むようにして略円柱状の開閉体４の外周面の略全体を覆う。
【００３８】
例えばシート体21をその他方の係合部24側の縁部から開閉装置本体１が載置された載置面と開閉体４との間の空間に挿入して折り返し、一方の係合部23の係合突片33と他方の係合部24の係合孔部37とを係合させることにより、シート体21を開閉装置本体１の開閉体４に巻き付ける。すると、巻き付けられた略円筒状のシート体21にて略円柱状の開閉体４の外周面の略全体が覆われた状態となる。
【００３９】
その後、作業者は、開閉体４に巻き付けられた略円筒状のシート体21に開閉装置本体１全体を水平状態に保持させながら、把持杆体26の露出部分を両手で把持して開閉装置本体１をこの開閉装置本体１の長手方向略中央部との対向位置から水平状態のまま所定高さ位置まで持ち上げ、建物11の本体収容部12に向けて押し込み、建物11の被取付部13に固定的に取り付ける（図３および図４参照）。すなわち、シート体21にて開閉装置本体１を開閉体４を包み込んだ状態で水平状態に保持しながら、開閉装置本体１を持ち上げ、被取付部13に吊り込む。
【００４０】
このとき、開閉装置本体１の全重量がシート体21の全体に分散的に作用するため、開閉装置本体１に無理な力が局部的に加わることがなく、例えば開閉体４にへこみ等が発生することはない。
【００４１】
なお、開閉装置本体１の本体収容部12側への押込みの際には、作業者は、被取付部13の支持体15を目視しながら、肘で開閉装置本体１を本体収容部12側へ押し込むことができる。
【００４２】
その後、作業者は、係合手段25の一方の係合部23の係合突片33と他方の係合部24の係合孔部37との係合を解除し、シート体21を上方に引き抜くようにして、被取付部13に固定的に取り付けられた開閉装置本体１から取付補助具20を取り外す。この取り外した取付補助具20は、繰り返して使用することができる。
【００４３】
このように、開閉装置用の取付補助具20を用いれば、開閉装置本体１の長手方向略中央部との対向位置、つまり、開閉装置本体１の長手方向略中央部と対向した開閉装置本体１前方位置から、シート体21により開閉装置本体１を傾斜させることなく水平状態のまま持ち上げることができ、本体収容部12側へ押し込むこともできる。よって、開閉装置本体１の取付けを１人作業でできるばかりでなく、開閉装置本体１の取付けを作業者１人でしても、巻き取られた開閉体４の横ずれを防止でき、窓シャッタ装置等の開閉装置の施工を効率良く行うことができる。
【００４４】
また、取付補助具20のシート体21にて開閉体４の外周面の略全体を覆うことで、開閉体４の保護を図ることができ、例えば開閉体４の他の部材との干渉による傷付き等を防止できる。しかも、係合手段25の係合突片33以外の部分がシート体21内に収容されていることからも、開閉体４の保護が図らえる。
【００４５】
さらに、取付補助具20のシート体21は、シート巻き方向と直交する方向にしわを寄せることにより開閉装置本体１のサイズに対応できるため、開閉装置本体１の各サイズに応じたシート体21を用意する必要がない。
【００４６】
次に、本発明の取付補助具の第２の実施の形態を図５および図６を参照して説明する。なお、図５および図６において図１ないし図４と同一符号を付した部分は、同一または相当部分を示す。
【００４７】
この図５および図６に示す開閉装置用の取付補助具20aは、巻体３に巻き取られた略円柱状の開閉体４にこの開閉体４の外周面の略全体を覆うように着脱可能に巻き付けられ、開閉装置本体１の長手方向略中央部との対向位置から開閉装置本体１を水平状態のまま持ち上げることを可能にする可撓性のシート体41を備えている。
【００４８】
また、この取付補助具20aは、シート体21に着脱可能に取り付けられ、シート体21を開閉体４の外周面の略全体を覆った覆い状態（例えば略円筒状）に解除可能に維持し、開閉装置本体１の持上げ時に把持される断面円形で細長棒状の把持体である把持杆体42を備えている。
【００４９】
そして、シート体41は、例えば開閉体４の外周面を傷付けない程度の柔軟な布等の可撓性シート材にて一体に形成されたもので、展開状態では略矩形板状をなし、開閉体４にこの開閉体４の外周面の略全体を覆うように巻き付けられた覆い状態では開閉体４の略全体を包み込むように開閉体４の外周面に沿って変形して略円筒状をなすものである。
【００５０】
また、このシート体41は、図５に示されるように、長さ寸法が開閉装置本体１の長さ寸法と略同一で展開状態で矩形板状をなすシート本体部43を有している。
【００５１】
このシート本体部43の図示イ方向であるシート巻き方向（例えば短辺方向）一端縁部におけるシート巻き方向と直交する方向（例えば長辺方向）の両端部からは、互いに離間対向した一方側突出部44が突出している。この一方側突出部44の先端側には、長さ寸法が開閉装置本体１の長さ寸法と略同一の把持杆体42の長手方向両端部が挿通される挿通筒45が形成されている。
【００５２】
また、このシート本体部43のシート巻き方向他端縁部におけるシート巻き方向と直交する方向の略中央部からは、他方側突出部46が突出している。この他方側突出部46の先端側には、把持杆体42の長手方向略中央部が挿通される複数、例えば２つの挿通筒47が形成されている。
【００５３】
次いで、上記取付補助具20aを使用して開閉装置の施工を行う場合について説明する。
【００５４】
まず、作業者は、開閉体４が巻戻し可能に略円柱状に巻き取られた長手状の開閉装置本体１に開閉装置用の取付補助具20aを着脱可能に取り付け、この取付補助具20aのシート体41にて略円柱状の開閉体４の略全体を包み込むようにして略円柱状の開閉体４の外周面の略全体を覆う。
【００５５】
例えばシート体41をその他方側突出部46側の縁部から開閉装置本体１が載置された載置面と開閉体４との間の空間に挿入して折り返し、一方側突出部44の挿通筒45と他方側突出部46の挿通筒47とを対向させ、この対向した両挿通筒45，47内に把持杆体42を挿通させることにより、シート体41を開閉装置本体１の開閉体４に巻き付ける。すると、巻き付けられた略円筒状のシート体41にて略円柱状の開閉体４の外周面の略全体が覆われた状態となる。
【００５６】
その後、作業者は、開閉体４に巻き付けられた略円筒状のシート体41に開閉装置本体１全体を水平状態に保持させながら、把持杆体42の露出部分を両手で把持して開閉装置本体１をこの開閉装置本体１の長手方向略中央部との対向位置から水平状態のまま所定高さ位置まで持ち上げ、建物11の本体収容部12に向けて押し込み、建物11の被取付部13に固定的に取り付ける（図４および図６参照）。すなわち、シート体41にて開閉装置本体１を開閉体４を包み込んだ状態で水平状態に保持しながら、開閉装置本体１を持ち上げ、被取付部13に吊り込む。
【００５７】
このとき、開閉装置本体１の全重量がシート体41の全体に分散的に作用するため、開閉装置本体１に無理な力が局部的に加わることがなく、例えば開閉体４にへこみ等が発生することはない。
【００５８】
なお、開閉装置本体１の本体収容部12側への押込みの際には、作業者は、被取付部13の支持体15を目視しながら、肘で開閉装置本体１を本体収容部12側へ押し込むことができる。
【００５９】
その後、作業者は、シート体41の両挿通筒45，47内から把持杆体42を抜き取り、シート体41を上方に引き抜くようにして、被取付部13に固定的に取り付けられた開閉装置本体１から取付補助具20aを取り外す。この取り外した取付補助具20aは、繰り返して使用することができる。
【００６０】
このように、開閉装置用の取付補助具20aを用いれば、開閉装置本体１の長手方向略中央部との対向位置、つまり、開閉装置本体１の長手方向略中央部と対向した開閉装置本体１前方位置から、シート体41により開閉装置本体１を傾斜させることなく水平状態のまま持ち上げることができ、本体収容部12側へ押し込むこともできる。よって、構成の簡素化を図ることができ、開閉装置本体１の取付けを１人作業でできるばかりでなく、開閉装置本体１の取付けを作業者１人でしても、巻き取られた開閉体４の横ずれを防止でき、窓シャッタ装置等の開閉装置の施工を効率良く行うことができる。
【００６１】
また、取付補助具20aのシート体41にて開閉体４の外周面の略全体を覆うことで、開閉体４の保護を図ることができ、例えば開閉体４の他の部材との干渉による傷付き等を防止できる。
【００６２】
さらに、取付補助具20aのシート体41は、シート巻き方向と直交する方向にしわを寄せることにより開閉装置本体１のサイズに対応できるため、開閉装置本体１の各サイズに応じたシート体41を用意する必要がない。
【００６３】
次に、本発明の取付補助具の第３の実施の形態を図７を参照して説明する。なお、図７において図１ないし図４と同一符号を付した部分は、同一または相当部分を示す。
【００６４】
この図７に示す開閉装置用の取付補助具20bは、開閉装置本体１の長手方向両端部を構成する両支持板２にこの両支持板２を跨ぐように着脱可能に連結体50を介して連結され、開閉装置本体１の長手方向略中央部との対向位置から開閉装置本体１を水平状態のまま持ち上げることを可能にする細長状の剛性部材であるバー体51を備えている。このバー体51はその長さ寸法が開閉装置本体１の長さ寸法より長い値となっている。
【００６５】
そして、バー体51は、例えば左右方向に長手方向を有する直線的な細長状で、底面部に長手方向のスリット52が形成された略角柱状のバー本体部53を有している。また、このバー本体部53の底面部には、略正方形状のスライド部54がバー本体部53の長手方向にスライド可能に設けられ、このスライド部54の略中央部にはねじ孔55が形成されている。
【００６６】
また、連結体50は、例えば矩形板材が２箇所で直角に折り曲げられたものであり、略正方形状の上側板部56、略正方形状の下側板部57およびこれら両板部56，57を連結する略矩形形状の連結板部58を有している。
【００６７】
そして、上側板部56の略中央部には、第１ねじ孔61が形成され、この第１ねじ孔61とスライド部54のねじ孔55とが対向した状態でこれら互いに対向した両ねじ孔55，61に対して第１ねじ62が下方から螺合される。また、下側板部57の略中央部には、第２ねじ孔63が形成され、この第２ねじ孔63と支持板２に予め設けられたナット64のねじ孔65とが対向した状態でこれら互いに対向した両ねじ孔63，65に対して第２ねじ66が上方から螺合される。これら２つのねじ62，66の螺合によりバー体51が支持板２に連結体50を介して連結される。
【００６８】
次いで、上記取付補助具20bを使用して開閉装置の施工を行う場合について説明する。
【００６９】
まず、作業者は、開閉体４が巻戻し可能に略円柱状に巻き取られた長手状の開閉装置本体１に開閉装置用の取付補助具20bを着脱可能に取り付ける。
【００７０】
例えば第２ねじ66を互いに対向させた両ねじ孔63，65に対して上方から螺合することにより、連結体50を支持板２に対して固定する。次いで、第１ねじ62をスライド部54のスライドにより互いに対向させた両ねじ孔55，61に対して下方から螺合することにより、連結体50に対して固定する。この結果、取付補助具20bのバー体51が、連結体50を介して開閉装置本体１の両支持板２にこの両支持板２を跨ぐように着脱可能に連結される。
【００７１】
その後、作業者は、両支持板２に連結されたバー体51に開閉装置本体１全体を水平状態に保持させながら、バー体51を両手で把持して開閉装置本体１をこの開閉装置本体１の長手方向略中央部との対向位置から水平状態のまま所定高さ位置まで持ち上げ、建物11の本体収容部12に向けて押し込み、建物11の被取付部13に固定的に取り付けて吊り込む（図４参照）。
【００７２】
なお、開閉装置本体１の本体収容部12側への押込みの際には、作業者は、被取付部13の支持体15を目視しながら、肘で開閉装置本体１を本体収容部12側へ押し込むことができる。
【００７３】
その後、作業者は、ねじ66または２つのねじ62，66を取ってバー体51と支持板２との連結を解除することにより、被取付部13に固定的に取り付けられた開閉装置本体１から取付補助具20bを取り外す。この取り外した取付補助具20bは、繰り返して使用することができる。
【００７４】
このように、開閉装置用の取付補助具20bを用いれば、開閉装置本体１の長手方向略中央部との対向位置、つまり、開閉装置本体１の長手方向略中央部と対向した開閉装置本体１前方位置から、バー体51により開閉装置本体１を傾斜させることなく水平状態のまま持ち上げることができ、本体収容部12側へ押し込むこともできる。よって、開閉装置本体１の取付けを１人作業でできるばかりでなく、開閉装置本体１の取付けを作業者１人でしても、巻き取られた開閉体４の横ずれを防止でき、窓シャッタ装置等の開閉装置の施工を効率良く行うことができる。
【００７５】
また、取付補助具20bのバー体51は、スライド部54のスライドにより開閉装置本体１のサイズに対応できるため、開閉装置本体１の各サイズに応じたバー体51を用意する必要がない。
【００７６】
次に、本発明の取付補助具の第４の実施の形態を図８を参照して説明する。なお、図８において図１ないし図４と同一符号を付した部分は、同一または相当部分を示す。
【００７７】
この図８に示す開閉装置用の取付補助具20cは、開閉装置本体１の長手方向両端部を構成する両支持板２に両端部がそれぞれ着脱可能に連結体70を介して連結され、開閉装置本体１の長手方向略中央部との対向位置から開閉装置本体１を水平状態のまま持ち上げることを可能にする細長帯状の可撓性部材であるベルト体71を備えている。このベルト体71はその長さ寸法が開閉装置本体１の長さ寸法より長い値となっている。
【００７８】
また、連結体70は、例えばベルト体71の端部に取り付けられた第１リング72と、支持板２の上端部に形成された孔部73に着脱可能な第２リング74と、これら両リング72，74を連結した連結部材75とにて構成されている。
【００７９】
次いで、上記取付補助具20cを使用して開閉装置の施工を行う場合について説明する。
【００８０】
まず、作業者は、開閉体４が巻戻し可能に略円柱状に巻き取られた長手状の開閉装置本体１に開閉装置用の取付補助具20cを着脱可能に取り付ける。
【００８１】
例えば連結体70の第２リング74をその一部を開口させた状態で支持板２の孔部73内に挿入することにより、連結体70を支持板２に対して取り付ける。この結果、取付補助具20cのベルト体71が、連結体70を介して開閉装置本体１の両支持板２に掛け渡されるように着脱可能に連結される。
【００８２】
その後、作業者は、両支持板２に連結されたベルト体71に開閉装置本体１全体を水平状態に保持させながら、ベルト体71を肩に掛けて開閉装置本体１をこの開閉装置本体１の長手方向略中央部との対向位置から水平状態のまま所定高さ位置まで持ち上げ、建物11の本体収容部12に向けて押し込み、建物11の被取付部13に固定的に取り付けて吊り込む（図４参照）。
【００８３】
なお、開閉装置本体１の本体収容部12側への押込みの際には、作業者は、被取付部13の支持体15を目視しながら、両手或いは肘で開閉装置本体１を本体収容部12側へ押し込むことができる。
【００８４】
その後、作業者は、ベルト体71と支持板２との連結を解除することにより、被取付部13に固定的に取り付けられた開閉装置本体１から取付補助具20cを取り外す。この取り外した取付補助具20cは、繰り返して使用することができ、また、ベルト体71を折り畳むことでコンパクトにできるため、不使用時の収容スペースの確保が容易である。
【００８５】
このように、開閉装置用の取付補助具20cを用いれば、開閉装置本体１の長手方向略中央部との対向位置、つまり、開閉装置本体１の長手方向略中央部と対向した開閉装置本体１前方位置から、ベルト体71により開閉装置本体１を傾斜させることなく水平状態のまま持ち上げることができ、本体収容部12側へ押し込むこともできる。よって、開閉装置本体１の取付けを１人作業でできるばかりでなく、開閉装置本体１の取付けを作業者１人でしても、巻き取られた開閉体４の横ずれを防止でき、窓シャッタ装置等の開閉装置の施工を効率良く行うことができる。
【００８６】
また、この取付補助具20cはベルト体71を肩に掛けて使用するものであるため、図９に示すように取付補助具20（または取付補助具20a）と併用することができ、開閉体４の保護を図ることができる。この場合、取付補助具20は主として開閉装置本体１の本体収容部12側への押込みに利用する。
【００８７】
なお、図１０に示すように、開閉装置本体１から開閉体４が分離されている場合は、次のように開閉装置を施工してもよい。
【００８８】
すなわち、まず、左右一対の支持板２とこれら両支持板２にて支持された巻体３および連結枠５とにて構成された枠部分1aを被取付部13に取り付ける。次いで、枠部分1aの連結枠５に対して、Ｓ字状部81とこのＳ字状部81から側方に突出した突出部82とにて構成された取付補助具83をその突出部82がサッシ縦枠85等に当接するように引っ掛ける。
【００８９】
次いで、左右一対の取付補助具83上に、開閉体４を水平状態のまま持ち上げて左右に振る等して搭載する。その後、開閉体４を少し巻き戻し、その開閉体４の上部取付部を巻体３に固定し、次いで、開閉体４全体を巻体３に巻き取らせる。
【００９０】
そして、この場合、巻状にしてコンパクトにした開閉体４を巻軸等の巻体３の下方近傍等の空中位置で取付補助具83に仮置きすることで、開閉体４から手を離すことができ、ドライバー等の取付工具等を取る（持つ）等の余裕が生まれ、また、開閉体４の上部取付部を巻体３に固定して徐々に巻体３側に開閉体４を巻き取らせて設置することができる。さらに、仮置き状態の開閉体４を取付補助具83のＳ字状部81の連結枠５に引っ掛けた部分と突出部82の先端側部分との複数点で支持（図１０の場合は、片側一方の取付補助具83において２点支持）するので、仮置きされた開閉体４を取付補助具83上で安定させることができ、開閉体４を巻体３に取り付ける作業時等における開閉体４の振れ等を抑えることができる。なお、互いに別体の左右の取付補助具83，83を図示しない連結部材で連結して一体化してもよい。
【００９１】
なお、取付補助具20，20a，20b，20cは、建物11の開口部周縁部に固定される窓シャッタ装置等のシャッタ装置の施工に最適であるが、例えば図示しないがブラインド装置或いはスクリーン装置等にも適用することができる。
【００９２】
また、シート体21，41は、巻き取られた状態で左右方向に長手状の開閉体４の外周面の略全体を覆うものには限定されず、例えば開閉体４の少なくとも長手方向両端部を覆うもので、開閉装置本体１の長手方向両端部を支持するものであればよい。
【００９３】
さらに、長手状のバー体51等の剛性部材は、長手方向に伸縮可能なもの、折畳み可能なもの或いは複数に分割可能なもの等でもよい。
【００９４】
【発明の効果】
請求項１の発明によれば、開閉装置本体の長手方向略中央部との対向位置から開閉装置本体を水平状態のまま持ち上げることができるため、開閉装置本体の取付けを作業者１人でしても、巻き取られた開閉体の横ずれを防止でき、開閉装置を効率良く施工できる。
【００９５】
請求項２の発明によれば、開閉装置本体の長手方向略中央部との対向位置から開閉装置本体を水平状態のまま持ち上げることができるため、開閉装置本体の取付けを作業者１人でしても、巻き取られた開閉体の横ずれを防止でき、開閉装置を効率良く施工でき、しかも、取付補助具のシート体にて開閉体の外周面の略全体を覆うことで開閉体の保護を図ることができる。
【００９６】
請求項３の発明によれば、シート体を利用して開閉装置本体の長手方向略中央部との対向位置から開閉装置本体を水平状態のまま持ち上げることができるため、開閉装置本体の取付けを作業者１人でしても、巻き取られた開閉体の横ずれを防止でき、開閉装置を効率良く施工できる。
【００９７】
請求項４の発明によれば、シート体にて開閉体の外周面の略全体を覆うことで開閉体の保護を図ることができる。
【００９８】
請求項５の発明によれば、把持杆体を把持してシート体を引き上げることにより、開閉装置本体の長手方向略中央部との対向位置から開閉装置本体を水平状態のまま持ち上げることができるため、開閉装置本体の取付けを作業者１人でしても、巻き取られた開閉体の横ずれを防止でき、開閉装置を効率良く施工でき、しかも、シート体にて開閉体の外周面の略全体を覆うことで開閉体の保護を図ることができる。
【００９９】
請求項６の発明によれば、剛性部材を利用して開閉装置本体の長手方向略中央部との対向位置から開閉装置本体を水平状態のまま持ち上げることができるため、開閉装置本体の取付けを作業者１人でしても、巻き取られた開閉体の横ずれを防止でき、開閉装置を効率良く施工できる。
【０１００】
請求項７の発明によれば、可撓性部材を利用して開閉装置本体の長手方向略中央部との対向位置から開閉装置本体を水平状態のまま持ち上げることができるため、開閉装置本体の取付けを作業者１人でしても、巻き取られた開閉体の横ずれを防止でき、開閉装置を効率良く施工できる。
【図面の簡単な説明】
【図１】本発明の取付補助具の第１の実施の形態を示す斜視図である。
【図２】同上取付補助具の巻付け状態の斜視図である。
【図３】同上取付補助具にて開閉装置本体が持ち上げられた状態の図である。
【図４】同上開閉装置本体が取り付けられる被取付部を示す斜視図である。
【図５】本発明の取付補助具の第２の実施の形態を示す斜視図である。
【図６】同上取付補助具の巻付け状態の斜視図である。
【図７】本発明の取付補助具の第３の実施の形態を示す斜視図である。
【図８】本発明の取付補助具の第４の実施の形態を示す斜視図である。
【図９】同上２つの取付補助具を併用した場合の斜視図である。
【図１０】本発明と関連する取付補助具の斜視図である。
【符号の説明】
１    開閉装置本体
４    開閉体
13    被取付部
20，20a，20b，20c    取付補助具
21，41    シート体
23    一方の係合部
24    他方の係合部
25    係合手段
26    把持杆体
51    剛性部材であるバー体
71    可撓性部材であるベルト体
【図１】
2004204435.tif 000003
【図２】
2004204435.tif 000004
【図３】
2004204435.tif 000005
【図４】
2004204435.tif 000006
【図５】
2004204435.tif 000007
【図６】
2004204435.tif 000008
【図７】
2004204435.tif 000009
【図８】
2004204435.tif 000010
【図９】
2004204435.tif 000011
【図１０】
2004204435.tif 000012